(57)【要約】【課題】本発明は、ドリッパーの数を増やすことなく、抽出時間が異なるドリッパーを提供することを課題とする。【解決手段】可撓性の材料を素材とし、内周部及び外周部を有する逆円錐型の本体２と、逆円錐型の本体の内周部３及び外周部４のそれぞれに設けられたリブ５、リブ６と、本体の下部に設けられたドリップ穴７とを備えたドリッパーである。  ドリッパー１は、リブの形状を本体の内周部と外周部とで異ならせるとともに本体の内周部と外周部とを裏返しにして使用することができるようにしたことを特徴とする。【選択図】    図１
2019098070.tif 000002
【特許請求の範囲】
【請求項１】
可撓性の材料を素材とし、本体の内周部及び外周部の双方にリブを設けるとともに本体の下部にドリップ穴を設けたドリッパーであって、
該リブの形状を本体の内周部と外周部とで異ならせるとともに本体の内周部と外周部とを裏返しにして使用することができるようにしたことを特徴とするドリッパー。
【請求項２】
可撓性の材料を素材とし、内周部及び外周部を有する逆円錐型の本体と、該逆円錐型の本体の内周部及び外周部にそれぞれ設けられたリブと、該逆円錐型の本体の下部に設けられたドリップ穴とを備えたドリッパーであって、
該リブの形状を本体の内周部と外周部とで異ならせるとともに本体の内周部と外周部とを裏返しにして使用することができるようにしたことを特徴とするドリッパー。
【請求項３】
上記本体のリブの形状は、本体の内周部と外周部とで抽出時間が異なるように構成されていることを特徴とする、請求項１又は請求項２に記載のドリッパー。
【請求項４】
上記本体のリブの形状は、本体の内周部と外周部とで長さが異なるように構成されていることを特徴とする、請求項１ないし請求項３のいずれか１項に記載のドリッパー。
【請求項５】
上記可撓性の材料は、シリコン樹脂であることを特徴とする、請求項１ないし請求項４のいずれか１項に記載のドリッパー。
【発明の詳細な説明】
【技術分野】
【０００１】
本発明は、コーヒーの抽出に使用されるドリッパーに関する。
【背景技術】
【０００２】
コーヒー豆には種類に応じて、独特のコク、甘味、後味、香り、酸味、苦みなどがあり、美味しいコーヒーを抽出するために、形や大きさも様々な多種類のドリッパーが提案されている。
ドリッパーの形状については、逆円錐形状のものが多数であるが、複数のドリップ穴を直線状に配置した逆台形状のものもみられる。
【０００３】
ドリッパーの素材は、プラスチック、ガラス、磁器、金属など多種にわたっており、それぞれの素材のものが、ユーザーの好みにより使い分けられている。
また、ドリッパー本体の内周部に形成されるリブについても、ドリッパー本体の内周部に載置されたコーヒー抽出用濾紙とドリッパー本体との密着を防ぎ、空気の抜ける空間を作り出すために、直線状、渦巻き状等の各種の形状が提案されている。
【０００４】
これまで、コーヒー豆の種類に応じて、独特のコク、甘味、後味、香り、酸味、苦みを有効に抽出するために、ドリッパーについても、多数の特許出願がなされている。
一例をあげれば、特別な技術が無くても、えぐみ、雑味が無く、深みの有るコーヒーを抽出することを可能にしたもの（特許文献１参照）、コーヒーの抽出時間を最適にするようにしたもの（特許文献２参照）、抽出度合いに変化をつけるようにしたもの（特許文献３参照）、リブ形状を工夫したもの（特許文献４参照）などがある。
【０００５】
これまでユーザーは、好みの素材や形状、独特のリブ形状を有するドリッパーを選択することで、好みのコーヒーを楽しんできた。さらに湯加減など人の技術により、コーヒー豆毎の最適な抽出バランスを楽しんできた。
例えば、お湯をゆっくりと注げばコクと深みのある味へ、素早くお湯を落とせばすっきりとした味わいにと、注ぎ量とスピードを加減して、コーヒー豆毎の最適な抽出バランスを楽しんできた。
このためには、お湯の注ぎ量とスピードを加減するなど人の技術を必要とした。
【０００６】
また、このような人の技術によるお湯の注ぎ量とスピードの加減を避けるために、種類の異なるドリッパーを用意してコーヒー豆毎の最適な抽出バランスを得ることもできるが、この場合には複数の異なったドリッパーを用意する必要があり、保管等に余分なスペースを必要とした。
【先行技術文献】
【特許文献】
【０００７】
【特許文献１】特開２００７−１９００３９号公報
【特許文献２】特願２０１４−１０４１５５号公報
【特許文献３】特願２０１５−１９８９０号公報
【特許文献４】実用新案登録第３１１６２１９号公報
【発明の概要】
【発明が解決しようとする課題】
【０００８】
本発明は、従来の背景技術に鑑み、ドリッパーの数を増やすことなく、抽出時間が異なるドリッパーを提供することを課題とする。
【課題を解決するための手段】
【０００９】
本発明の課題を解決するための手段は、次のとおりである。
（１）可撓性の材料を素材とし、本体の内周部及び外周部の双方にリブを設けるとともに本体の下部にドリップ穴を設けたドリッパーであって、
リブの形状を本体の内周部と外周部とで異ならせるとともに本体の内周部と外周部とを裏返しにして使用することができるようにしたことを特徴とするドリッパー。
（２）可撓性の材料を素材とし、内周部及び外周部を有する逆円錐型の本体と、逆円錐型の本体の内周部及び外周部にそれぞれ設けられたリブと、逆円錐型の本体の下部に設けられたドリップ穴とを備えたドリッパーであって、
リブの形状を本体の内周部と外周部とで異ならせるとともに本体の内周部と外周部とを裏返しにして使用することができるようにしたことを特徴とするドリッパー。
（３）上記本体のリブの形状は、本体の内周部と外周部とで抽出時間が異なるように構成されていることを特徴とする、（１）又は（２）に記載のドリッパー。
（４）上記本体のリブの形状は、本体の内周部と外周部とで長さが異なるように構成されていることを特徴とする、（１）ないし（３）のいずれかに記載のドリッパー。
（５）上記可撓性の材料は、シリコン樹脂であることを特徴とする、（１）ないし（４）のいずれかに記載のドリッパー。
【発明の効果】
【００１０】
本発明によれば、リブの形状を本体の内周部と外周部とで異ならせるとともにドリッパー本体の内周部と外周部とを裏返しにして使用することができるようにしたため、一個のドリッパーを抽出時間の異なる２種類のドリッパーとして利用することができる。
すなわち、本発明によれば、ドリッパーを交換することなく、一個のドリッパーで苦味傾向の濃厚な味と酸味傾向の軽い味を楽しむことができる。
【図面の簡単な説明】
【００１１】
【図１】本発明に係る、ドリッパーの斜視図である。
【図２】本発明に係る、ドリッパーの平面図である。
【図３】本発明に係る、本体を裏返したドリッパーの斜視図である。
【図４】本発明に係る、本体を裏返したドリッパーの平面図である。
【発明を実施するための形態】
【００１２】
（ドリッパーの実施例）
図１に、本発明のドリッパーの斜視図を示す。
また、図２は、本発明のドリッパーの平面図である。
本発明に係るドリッパー１は、シリコン樹脂等の可撓性の材料を素材とした逆円錐型の本体２を含み、逆円錐型の本体の内周部３及び外周部４には、それぞれリブ５、リブ６が設けられている。
そして、逆円錐型の本体の下部には、ドリップ穴７が設けられており、抽出されたコーヒーは、このドリップ穴７を通って図示しない飲料容器に集められる。
【００１３】
逆円錐型の本体の内周部３には、本体の上方から下方に向かって複数の細長いリブ５が多数設けられている。
他方、逆円錐型の本体の外周部４には、本体の中央辺りから下方に向かって複数の短いリブ６が多数設けられている。
すなわち、リブの形状を本体の内周部３と外周部４とで異なるようにしている。
【００１４】
（本体を裏返したドリッパーの実施例）
さらに、本発明のドリッパー１は、シリコン樹脂等の可撓性の材料を素材としているため、逆円錐型の本体の内周部３と外周部４とを裏返しにして使用することができる。
図１及び図２に示すドリッパー１について、逆円錐型の本体の内周部と外周部とを裏返したものを図３及び図４に示す。
【００１５】
図３は、本体を裏返したドリッパーの斜視図であり、図４は、その平面図である。
図３及び図４から分かるように、図１及び図２に示すドリッパー１について、逆円錐型の本体の内周部と外周部とを裏返して使用することにより、一個のドリッパーを異なる２種類のドリッパーとして利用することができる。
【００１６】
このため、図１及び図２に示すドリッパーでは、リブ５の長さが長いため、抽出時間が短く、酸味傾向の軽い味を楽しむことができる。
これに対し、図３及び図４に示すドリッパーでは、リブ６の長さが短いため、抽出時間が長く、苦味傾向の濃厚な味を楽しむことができる。
【００１７】
以上、本明細書に開示した実施例は、本発明に係る、ドリッパーの理解を容易にするために例示したものであって、本発明はこれに限定されるものではない。
すなわち、本発明は、特許請求の範囲を逸脱しない限り、ドリッパーの設計に当たって、適宜の設計変更が可能であることは言うまでもないことである。
【００１８】
例えば、実施例ではドリッパーの本体として逆円錐型のものを例示したが、本体を裏返すことができるのであれば、本発明はこれに限らず、ドリップ穴を複数個直線状に配置した逆台型のものであってもよい。
また、リブ５、リブ６の形状についても、本体の内周部３と外周部４とで抽出時間が異なるように構成できるものであれば、その形状は実施例に示すものに限定されるものではない。
【符号の説明】
【００１９】
１  ドリッパー
２  本体、逆円錐型の本体
３  本体の内周部
４  本体の外周部
５  本体の内周部のリブ
６  本体の外周部のリブ
７  ドリップ穴
【図１】
2019098070.tif 000003
【図２】
2019098070.tif 000004
【図３】
2019098070.tif 000005
【図４】
2019098070.tif 000006